(57)【特許請求の範囲】
【請求項１】
口内径の異なる２つの口部を有する容器を閉鎖する口栓であって、容器口部を閉鎖するための天板周縁部を構成し、口部の外径より大きな外径の鍔部と、天板から一方側に伸びるよう形成され、小口径口部を閉鎖する小径閉鎖部と、天板から一方側に伸びるよう形成され、前記小径閉鎖部より短い長さの大口径口部を閉鎖する大径閉鎖部小径閉鎖部と、天板から一方側に伸びるよう形成され、前記小径閉鎖部より短い長さの大口径口部を閉鎖する大径閉鎖部とを有し、さらに、前記小径閉鎖部および大径閉鎖部は、小口径口部内および大口径口部内にそれぞれ嵌合可能に挿入されるよう構成されている事を特徴とする口栓。
【請求項２】
前記小径閉鎖部および大径閉鎖部は、前記小径閉鎖部および大径閉鎖部それぞれの先端から半径方向内向きに傾斜している傾斜部を有する事を特徴とする請求項１の口栓。
【請求項３】
前記小径閉鎖部が少なくとも前記大径閉鎖部の約２倍以上の長さを有する事を特徴とする請求項１または２の口栓。
【請求項４】
前記容器は、２室バッグが形成されている輸液バッグであり、前記２室バッグの両端縁にそれぞれ口内径の異なる口部が形成されている請求項１乃至３のいずれかの口栓。
【請求項５】
前記大口径口部を閉鎖したとき、前記容器の口部のフランジと前記鍔部間に隙間ができるよう構成されている請求項１乃至４のいずれかの口栓。
【請求項６】
前記小口径口部を閉鎖したとき、前記大径閉鎖部が前記容器の口部天面に当接した状態になるよう構成されている請求項１乃至５のいずれかの口栓。
【請求項７】
前記小口径口部及び大径閉鎖部が円筒状に成形されている請求項１乃至６のいずれかの口栓。
【発明の詳細な説明】
【０００１】
【産業上の利用分野】
本発明は、主として、輸液バッグの口部を閉鎖する口栓に関する。特には、本発明は、輸液バッグの製造後、納入先であるユーザーにおいて充填されるまでの輸送中等において、一時的に異物等の混入を未然に防ぐために使用される口栓に関する。
【０００２】
【従来の技術】
輸液充填後の口部を閉鎖するキャップは通常ゴム製のキャップが採用されているが、上記したユーザーで輸液を充填されるまでの輸送中の保護のために一時的に使用されるような口栓は未だ使用されておらず、口栓なしの状態でユーザーに輸送されるのが通常であった。しかしながら、このような輸送状態では、輸送中にゴミ等の異物が混入するおそれがあるし、輸液のような人体に直接関係し、もし混入されれば人体に重大な影響を及ぼす可能性を持つ内容物を収納する容器においては異物の混入は絶対に避けられなければならない。
【０００３】
そのために、輸液バッグの輸送中等、製造から輸液注入時までの間も口栓が必要となっている。輸液バッグには、その下端にゴム製のキャップを嵌合し針と空気穴を形成する大径の口部があり、その上端に前記口部より小径の口部がある。従って、従来の輸液バッグには、径の異なる２種の口栓を用意しなければならなかった。
【０００４】
【従来の技術の問題点を解決する手段】
そこで、本発明は、口内径の異なる２つの口部を有する容器を閉鎖する口栓であって、容器口部を閉鎖するための天板周縁部を構成し、口部の外径より大きな外径の鍔部と、天板から一方側に伸びるよう形成され、小口径口部を閉鎖する小径閉鎖部と、天板から一方側に伸びるよう形成され、前記小径閉鎖部より短い長さの大口径口部を閉鎖する大径閉鎖部とを有し、さらに、前記小径閉鎖部および大径閉鎖部は、小口径口部内および大口径口部内にそれぞれ嵌合可能に挿入されるよう構成されている事を特徴とする口栓を提供する。
例えば、口栓１の天板２の外周端に、輸液バッグに施栓した時、輸液バッグ４口部の外径より大きい外径の鍔部３を有し、口栓１の天板２から下向きに伸びる、輸液バッグの小径口部５を閉鎖する小径閉鎖部６と大径口部７を閉鎖する大径閉鎖部８を形成する。さらに、小径閉鎖部６および大径閉鎖部８は、小径口部５内および大径口部７内にそれぞれ嵌合可能に挿入される。小径閉鎖部６の長さは、小径口部５を十分に閉鎖でき、抜けない程度に保持されるように、大径閉鎖部８より長く、好ましくは、その長さは、大径閉鎖部８の約２倍以上にするのが良い。両閉鎖部６，８の先端から半径方向内方に傾斜している傾斜部９を有すると、施栓をスムーズに行えるようになる。この栓のために使用される合成樹脂は、ＬＬＤＰＥ（直鎖状低密度ＰＥ）、ＬＤＰＥ（低密度ＰＥ）または、ＨＤＰＥ（高密度ＰＥ）等の比較的軟質の樹脂が採用される。又、この発明の口栓は、１個の口栓で２種の径の異なる容器口部に嵌合するので、例えば、プラスチック製石油容器等、多用途に応用できる。
【０００５】
【実施例】
図１は、本発明の口栓の概略説明図を示し、図２は、本発明の口栓が使用される２室構造の輸液バッグを示し、図３は、小口径口部に嵌合した本発明の口栓を示し、図４は、大口径口部に嵌合した本発明の口栓を示す。
図２のように、輸液バッグ４には、ほぼ中央部付近にくびれ部１０をヒートシールして、仕切り壁を形成して、２室バッグが形成されるものがある。この２室バッグの両端縁に、異なる２種類の輸液を充填するための大小２つの口部５，７が形成され、小径口部５側に輸液バッグ吊り下げ部１１が形成されている。２個の口部５，７からそれぞれ異なる輸液が充填された後、２つの口部５，７は、ゴム栓で閉鎖される。実際の使用状態においては先ず、２室に分離している仕切り壁１０を破り、２種の輸液を混合した後、大径口部７を閉鎖したゴム栓に注射針と空気導入針を差し込んで、輸液を使用する。本発明の口栓は、この様な輸液バッグに対して、成形後ユーザーに輸送され、充填されるまでの間に輸液バッグ内に異物が入らない様に、口部を閉鎖する仮栓であり、図１，３及び図４の様な構造を有する。
【０００６】
すなわち、口栓１の天板２の外周端に、輸液バッグに施栓した時、輸液バッグ４口部の外径より大きい外径の鍔部３を有し、口栓１の天板２から下向きに伸びる、輸液バッグの小径口部５を閉鎖する小径閉鎖部６と大径口部７を閉鎖する大径閉鎖部８を形成する。小径閉鎖部６の長さは、小径口部５を十分に閉鎖でき、抜けない程度に保持されるように、大径閉鎖部８より長く、好ましくは、その長さは、大径閉鎖部８の約２倍以上にするのが良い。両閉鎖部６，８の先端から半径方向内方に傾斜している傾斜部９を有すると、施栓をスムーズに行えるようになる。この口栓１のために使用される合成樹脂は、ＬＬＤＰＥ（直鎖状低密度ＰＥ）、ＬＤＰＥ（低密度ＰＥ）または、ＨＤＰＥ（高密度ＰＥ）等の比較的軟質の樹脂が採用される。大径口部７を閉鎖したとき、図１の左図や図４の通り、バッグ口部７のフランジ７ａと口栓天板周縁部間には、鍔部３により隙間ができるので、輸液充填前に口栓１を外しやすくなっている。又小径口部５を閉鎖した時は、図１の右図や図３のとおり、大径の閉鎖部８が口部天面５ａに当接した状態で閉鎖されているので、輸液充填前に口栓１を容易に取り外し易くなっている。小径閉鎖部６は、図１，３及び図４の実施例では大径閉鎖部８の長さの少なくとも２倍程度の長さに形成されており小径の口部５に閉鎖された時でも、小径の閉鎖部６による密封、保持が十分に保たれる。１４は、周状膨出部で口栓１を強く口部５，７に固定するのに役立つ。小径閉鎖部６及び大径閉鎖部８は、円筒状に成形してもよいし、図５のようにその周囲に１本以上のスリット１５をもつ円筒状に成形してもよい。尚、図５のスリット１５は、大小閉鎖部６，８の上端部から下端部まで切り取られたように形成されているが、大小閉鎖部６，８又はその一部のみに形成してもよく、更にスリット１５に代えて凹溝を設けてもよい。これらのスリット１５、凹溝は口栓１挿入時に大小閉鎖部６，８がたわみ易くなるように設けられ、口栓１挿入をスムースにする。
【０００７】
（作用効果）
１）輸液バッグ成形後〜輸送されユーザーにより充填される前までに、その中に異物、虫類の混入が防止できるので、極めて衛生的である。
２）大小２つの口内径の異なる口部を閉鎖する小径閉鎖部と大径閉鎖部を併せ持つ１つの口栓としたので、１個の口栓で大小両方を共用でき、樹脂の節約、コストダウンを計れる。
３）２種類のサイズの口栓を製造する場合と比べて、本願の共用栓は、搬送〜打栓までの作業工程及び作業設備が半分で済む。
【図面の簡単な説明】
【図１】図１は、本発明の口栓の概略説明図である。
【図２】図２は、本発明の口栓が使用される２室構造の輸液バッグを示す。
【図３】図３は、小口径口部に嵌合した本発明の口栓を示す。
【図４】図４は、大口径口部に嵌合した本発明の口栓を示す。
【図５】図５は、本発明の口栓の変形例を示す。
【符号の説明】
１……口栓、２……天板、３……鍔部、４……輸液バッグ、５……小径口部、６……小径閉鎖部、７……大径口部、８……大径閉鎖部、９……傾斜部。
【図１】
0004151856.tif 000002
【図２】
0004151856.tif 000003
【図３】
0004151856.tif 000004
【図４】
0004151856.tif 000005
【図５】
0004151856.tif 000006